(57)【要約】 【課題】  雑音を発生することなく長寿命で、かつ一様な平面状発光を得ることを可能とする。  【解決手段】   ガラス板１１，１２の内面に透明電極２４，平面状電極２５がそれぞれ形成され、これら間がスペーサガラス１３によって接続されて密封容器１５が構成され、透明電極２４の内面に蛍光体膜１８が形成され、この透明電極２４のガラススペーサ１３より突出した周縁に周回補助導線３１が形成されている。これと電極２５との間に正弦波電源３４が接続されて放電、発光される。電極２５の内面にガラススペーサよりなる誘電体膜３５が形成される。内部に封入ガスが封入される。放電ガスの分圧は１０torr程度とされる。【選択図】          図１
2007012635.tif 000002
【特許請求の範囲】
【請求項１】
少なくとも一面がガラス板で形成された平板状密封容器と、上記ガラス板の内面に形成された透明第１電極と、上記透明第１電極上に形成された蛍光体膜と、上記平板状密封容器の上記蛍光体膜と対抗する内面に形成された平面状第２電極と、上記第１電極と第２電極との間で、上記蛍光体膜よりも上記第２電極側に設けられた誘電体膜と、上記密封容器内に封入された放電用ガスとを具備する平面型蛍光灯。
【請求項２】
少なくとも一面がガラス板で形成された平板状密封容器と、上記ガラス板の内面に形成された蛍光体膜と、上記平板状密封容器の上記蛍光体膜と対抗する内面に形成された平面状第２電極と、上記蛍光体膜よりも上記第２電極側に設けられて第２電極と対抗したメッシュ状第１電極と、上記第１電極と上記第２電極との間に位置して設けられた誘電体膜と、上記密封容器内に封入された放電用ガスと、を具備する平面型蛍光灯。
【発明の詳細な説明】
【技術分野】
【０００１】
この発明は、例えば液晶ビデオカメラの液晶表示器などのバックライトとして用いられる平面型蛍光灯に関する。
【背景技術】
【０００２】
従来のこの種の平面型蛍光灯を図３，図４に示す。前面ガラス板１１と背面ガラス板１２とはその周辺部がガラススペーサ１３を介して互いに融着され、内部が密封状態とされる。ガラススペーサ１３の一部分に穴が開けられ、それに封止管１４が挿入してつけられ、これにより内部を真空にしたり、放電用ガスを封入したりするために利用される。このようにして密封容器１５が構成される。この密封容器１５内の両端に互いに平行した断面Ｕ字状の電極１６，１７が配され、また、前面ガラス板１１，背面ガラス板１２の各内面にそれぞれ蛍光体膜１８，１９がそれぞれ形成されている。密封容器１５内には封入ガス、つまり、水銀蒸気と放電ガスなどが封入されている。なお放電ガスというのはアルゴンガスやネオンガスなどの希ガス、またはそれら混合ガスのことである。また、封入ガスの圧力は通常放電ガスの分圧によって決定される。
【０００３】
電極１６，１７間に放電を行わせると水銀蒸気が励起されることによって紫外線が発生し、その紫外線によって蛍光体膜１８，１９が励起されて発光する。
【発明の開示】
【発明が解決しようとする課題】
【０００４】
この従来の平面型蛍光灯においては、その全面に渡って放電発光するようにするためには放電ガスの分圧を低く４torr以下とする必要がある。さもなければ帯状の発光となり、一様な面状発光にならない。また帯状の発光とならないように電極間に印加する電圧をパルス電圧とする必要もあった。このようなパルス電圧蛍光灯においては封入ガスの圧力（つまり、放電ガスの分圧）が低いと放電による電極のスパッタを増大し、蛍光灯の寿命が著しく短くなることが知られており、また印加する電圧がパルス状であるため雑音の発生が多く、特に明るくするためには高い電圧のパルスを発生する必要があり、そばに電子機器が設けられる場合は、電磁雑音を多数発生するため好ましくない。
【０００５】
実開平１−１７７８６０号では図５に示すように、電極１６，１７を誘電体膜２１、２２で覆って電極を隔絶し、これにより寿命を長くすることが提案されている。しかし、印加電圧による雑音の発生を少なくするため、印加電圧を正弦波状にすると図５に示すように、放電発光部分２３が帯状となり、一様な全面発光が得られない。
【０００６】
一方、実開平１−７５９５８号では図６に示すように、前面ガラス板１１，背面ガラス板１２の内面全体にそれぞれ透明電極２４，２５を形成し、その内面に蛍光体膜１８，１９を形成したものが提案されている。しかし、この場合も放電ガスの分圧を高くすると放電発光部２６が柱状となり、つまり放電が一部分に集中して発光もこの部分にしか生じないという問題があった。
【０００７】
この発明の目的は放電ガスの分圧を比較的高く、例えば５乃至２０torr程度にすることができ、しかも面状に一様に発光し、また、使用する電圧も正弦波とすることができる平面型蛍光灯を提供することにある。
【課題を解決するための手段】
【０００８】
この発明によれば、密封容器の少なくとも一面はガラス板とされ、そのガラス板の内面に透明電極が形成され、この透明電極の内面に蛍光体膜が形成され、蛍光体膜と対抗する密封容器の内面に平面状電極が形成され、平面状電極の内面と蛍光体膜との間に誘電体膜が形成される。
【０００９】
請求項２の発明によれば、ガラス板内面に透明電極を形成することなく蛍光体膜を直接形成し、その蛍光体膜と平面状電極との間にメッシュ状電極が配される。そのメッシュ状電極と平面状電極との間に誘電体膜が設けられる。
【発明の効果】
【００１０】
請求項１の発明によれば、誘電体膜により２つの放電電極間の電極を隔離し、しかも平面状に対抗させているため各部で一様な放電が得られ、一様な面状発光が得られる。しかも、雑音の発生しにくい正弦波を使用することができ、またアルゴンの分圧も５乃至２０torrと比較的高くすることができ、寿命を著しく長くすることが可能となる。更に誘電体膜３５の存在により、放電時に流れる電流を制限することができるため、蛍光灯に必要とするいわゆる電源安定化器、つまりコイルとかコンデンサを使用する必要がない。
【００１１】
また、請求項２の発明によれば、請求項１の発明の効果に加えて、蛍光体膜を痛めずに発光が行えるため、蛍光体膜、強いては蛍光灯自体の寿命を延ばすことができる。
【発明を実施するための最良の形態】
【００１２】
図１に請求項１の発明の実施例を示し、図３乃至図６と対応する部分に同一符号を付けてある。この実施例においては、密封容器１５の少なくとも一面、つまり前面はガラス板１１とされ、その内面に透明電極２４が形成される。この透明電極２４は、例えば酸化錫で構成され、前面ガラス板１１の全面に渡って形成されている。また、背面ガラス板１２は必ずしもガラス板ではなく、例えばセラミック板でもよく、気密性が保たれるものであればよい。この背面ガラス板１２の内面に全面に渡って、平面状電極２５が、例えばアルミニウム、ニッケルなど比較的電気伝導度のよい金属で形成される。
【００１３】
この前面ガラス板１１と背面ガラス板１２とがガラススペーサ１３を介してガラスフリットによって互いに融着される。この場合電極２４，２５をそれぞれ介して融着され、しかもこれらガラス板１１，１２の周縁部より内側において、即ちこれらガラス板１１，１２の周辺部全体がガラススペーサ１３より外部に突出されている。そして、この例では透明電極２４上の外部へ出た周辺部に周回補助導線３１がその全周に渡って例えば銀ペーストにより接着される。また、電極２４，２５の外部にでている周辺部においてリード線３２，３３の各一端がそれぞれ銀ペーストにより接着され、これらリード線３２，３３間に電源３４を接続することができるようにされる。蛍光体膜１８はそのガラススペーサ１３で囲まれたその周辺内において透明電極２４の全面に形成されている。またこの実施例では、平面状電極２５の内面にガラススペーサ１３で囲まれた全面に渡って誘電体膜３５が形成されている。この誘電体膜３５としては例えばガラスペーストが使用される。この実施例の放電ガスの分圧は例えば１０torr程度とされる。
【００１４】
この構成によれば電極２４，２５間に電源３４より正弦波電圧を印加しても誘電体膜３５の存在によって誘電体を介して電子のやりとりが行われ、放電が発生して水銀蒸気が励起され紫外線が発生し、蛍光体膜１８が励起され発光する。このように透明電極２４と平面状電極２５との間に誘電体膜３５が存在するため、これら電極２４，２５間が隔絶されるため一様な平面状の放電が行われ、従って、一様な平面状の発光が得られる。
【００１５】
さらに、通常の放電灯では、一旦放電が始まると放電灯自体の電気抵抗が０に近づき、電流が際限なく流れようとするため、それを防止するためにいわゆる電源安定化器、つまりコイルやコンデンサを設けて、流れる電流を制限している。しかし、この構成によれば、誘電体膜３５がコンデンサの役割を果して流れる電流を制限しているため、別に電源安定器を設ける必要がない。
【００１６】
図２に請求項２の発明の実施例を示し、図１と対応する部分には同一符号を付けてある。この実施例においては図１における透明電極２４は省略され、従って蛍光体膜１８が前面ガラス板１１の内面に直接形成されている。また、この蛍光体膜１８と誘電体膜３５との間にメッシュ状電極３７が配される。つまりメッシュ状電極３７は誘電体膜３５を介して平面状電極２５と対抗している。メッシュ状電極３７の材質としてはステンレスあるいはスパッタが発生しにくい鉄とニッケルの合金やチタンなどを使用することができる。
【００１７】
請求項１の発明のように透明電極２４の上から蛍光体膜１８が形成されている場合、放電が蛍光体膜１８を挟んで行われることになり、それによって蛍光体膜１８が早く劣化してしまう。また、放電が蛍光体膜１８を挟んで行われないように、電極２４を蛍光体膜１８と誘電体膜３５の間に設ける場合は、放電の際に励起された紫外線が電極２４によって遮られ、蛍光体膜１８まで届かずうまく発光されない。
【００１８】
そこで、蛍光体膜１８と誘電体膜３５の間に設けられる電極３７をメッシュ状とすることで励起される紫外線をうまく通過させ、蛍光体膜１８を傷めることなく一様な発光を得られるようにしたのが請求項２の発明である。なお、ここで言っている「メッシュ状」とは網目状のことだけではなく、例えばいくつもの透孔や隙間があいている形状も含まれる。つまり、紫外線が通過できるようになっていればよい。
【００１９】
メッシュ状電極３７とリード線３３を介して電源３４と接続すると、メッシュ状電極３７と平面状電極２５との間に電圧が印加されて、これら間に放電が発生し、これにより励起された紫外線はメッシュ状電極３７の隙間を通過して、蛍光体膜１８に入射され、これを発光する。この場合もリード線３３の取り付けを容易にするため平面状電極２５が形成された背面ガラス板１２はガラススペーサ１３よりも外部に突出している。また、誘電体膜３５の存在により、電極２５，３７間が隔離されているため、これら各対抗部分の各部において一様に放電し、一様な面状発光が得られる。なお、図１の実施例もこの図２の実施例においても誘電体膜３５は電極２４と２５の間、また電極３７と２５の間にあればよく、必ずしも平面状電極２５上に形成しなくてもよい。
【００２０】
また、図１に示した実施例のように透明電極を使用する場合において、その周辺に周回補助導線３１を設ける場合は、透明電極２４は比較的抵抗値が高いが、これにより導電性が良くなり、放電面全体に渡って電流がバランスよく流れるようにすることができる。
【図面の簡単な説明】
【００２１】
【図１】Ａは請求項１の発明の実施例の一部を破断した斜視図、ＢはＡのＡ−Ａ線断面図である。
【図２】請求項２の発明の実施例を示す断面図。
【図３】従来の平面型蛍光灯を示す図４のＡ−Ａ線断面図。
【図４】図３のＢ−Ｂ線断面図。
【図５】従来の平面型蛍光灯とその問題点を示す図。
【図６】従来の他の平面型蛍光灯とその問題点を示す図。
【図１】
2007012635.tif 000003
【図２】
2007012635.tif 000004
【図３】
2007012635.tif 000005
【図４】
2007012635.tif 000006
【図５】
2007012635.tif 000007
【図６】
2007012635.tif 000008
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
前面ガラス板と背面ガラス板との周囲部を封着して形成した平板状密閉容器内に一対の電極を備えるとともに、同平板上密閉容器内に放電ガスを封入して前記一対の電極に電圧を印加し放電させることによって点灯する平面型蛍光灯において、
前記一対の電極は、メッシュ状第１電極と平面状第２電極であって、
前記平面上第２電極は、前記背面ガラス板の内面上に形成され、
前記メッシュ状第１電極は、前記前面ガラス板の内面側に位置して形成され、
前記平面上第２電極と前記メッシュ状第１電極との間に位置して誘電体膜が形成される（但し前記平面状第２電極の上面に形成された誘電体膜を除く）、
ことを特徴とする平面型蛍光灯。
【請求項２】
前記前面ガラス板の内面上には、蛍光体膜が形成される、
ことを特徴とする請求項１に記載の平面型蛍光灯。
【請求項３】
少なくとも一面がガラス板で形成された平板状密封容器と、
前記ガラス板の内面に形成された蛍光体膜と、
前記平板状密封容器の前記蛍光体膜と対抗する内面に形成された平面状第２電極と、
前記蛍光体膜よりも前記平面状第２電極側に設けられて第２電極と対向したメッシュ状第１電極と、
前記第１電極と前記第２電極との間に位置して設けられた誘電体膜（但し前記平面状第２電極の上面に形成された誘電体膜を除く）と、
前記密封容器内に封入された放電用ガスと、
を具備する平面型蛍光灯。
【手続補正２】
【補正対象書類名】明細書
【補正対象項目名】全文
【補正方法】変更
【補正の内容】
【発明の詳細な説明】
【技術分野】
【０００１】
この発明は、例えば液晶ビデオカメラの液晶表示器などのバックライトとして用いられる平面型蛍光灯に関する。
【背景技術】
【０００２】
従来のこの種の平面型蛍光灯を図３，図４に示す。前面ガラス板１１と背面ガラス板１２とはその周辺部がガラススペーサ１３を介して互いに融着され、内部が密封状態とされる。ガラススペーサ１３の一部分に穴が開けられ、それに封止管１４が挿入してつけられ、これにより内部を真空にしたり、放電用ガスを封入したりするために利用される。このようにして密封容器１５が構成される。この密封容器１５内の両端に互いに平行した断面Ｕ字状の電極１６，１７が配され、また、前面ガラス板１１，背面ガラス板１２の各内面にそれぞれ蛍光体膜１８，１９がそれぞれ形成されている。密封容器１５内には封入ガス、つまり、水銀蒸気と放電ガスなどが封入されている。なお放電ガスというのはアルゴンガスやネオンガスなどの希ガス、またはそれら混合ガスのことである。また、封入ガスの圧力は通常放電ガスの分圧によって決定される。
【０００３】
電極１６，１７間に放電を行わせると水銀蒸気が励起されることによって紫外線が発生し、その紫外線によって蛍光体膜１８，１９が励起されて発光する。
【特許文献１】実開平１−１７７８６０号
【特許文献２】実開平１−７５９５８号
【発明の開示】
【発明が解決しようとする課題】
【０００４】
この従来の平面型蛍光灯においては、その全面に渡って放電発光するようにするためには放電ガスの分圧を低く４torr以下とする必要がある。さもなければ帯状の発光となり、一様な面状発光にならない。また帯状の発光とならないように電極間に印加する電圧をパルス電圧とする必要もあった。このようなパルス電圧蛍光灯においては封入ガスの圧力（つまり、放電ガスの分圧）が低いと放電による電極のスパッタを増大し、蛍光灯の寿命が著しく短くなることが知られており、また印加する電圧がパルス状であるため雑音の発生が多く、特に明るくするためには高い電圧のパルスを発生する必要があり、そばに電子機器が設けられる場合は、電磁雑音を多数発生するため好ましくない。
【０００５】
特許文献１（実開平１−１７７８６０号）では、図５に示すように、電極１６，１７を誘電体膜２１、２２で覆って電極を隔絶し、これにより寿命を長くすることが提案されている。しかし、印加電圧による雑音の発生を少なくするため、印加電圧を正弦波状にすると図５に示すように、放電発光部分２３が帯状となり、一様な全面発光が得られない。
【０００６】
一方、特許文献２（実開平１−７５９５８号）では図６に示すように、前面ガラス板１１，背面ガラス板１２の内面全体にそれぞれ透明電極２４，２５を形成し、その内面に蛍光体膜１８，１９を形成したものが提案されている。しかし、この場合も放電ガスの分圧を高くすると放電発光部２６が柱状となり、つまり放電が一部分に集中して発光もこの部分にしか生じないという問題があった。この発明の目的は放電ガスの分圧を比較的高く、例えば５乃至２０torr程度にすることができ、しかも面状に一様に発光し、また、使用する電圧も正弦波とすることができる平面型蛍光灯を提供することにある。
【課題を解決するための手段】
【０００７】
前記目的を解決するための発明のうち、請求項１に記載の平面型蛍光灯は、
前面ガラス板と背面ガラス板との周囲部を封着して形成した平板状密閉容器内に一対の電極を備えるとともに、同平板上密閉容器内に放電ガスを封入して前記一対の電極に電圧を印加し放電させることによって点灯する平面型蛍光灯において、
前記一対の電極は、メッシュ状第１電極と平面状第２電極であって、
前記平面上第２電極は、前記背面ガラス板の内面上に形成され、
前記メッシュ状第１電極は、前記前面ガラス板の内面側に位置して形成され、
前記平面上第２電極と前記メッシュ状第１電極との間に位置して誘電体膜が形成される（但し前記平面状第２電極の上面に形成された誘電体膜を除く）、
ことを特徴とする。
また、請求項２に記載の平面型放電灯は、請求項１に記載の平面型蛍光灯に加えて、
前記前面ガラス板の内面上には、蛍光体膜が形成される、ことを特徴とする。
【０００８】
また、請求項３に記載の平面型放電灯は、
少なくとも一面がガラス板で形成された平板状密封容器と、
前記ガラス板の内面に形成された蛍光体膜と、
前記平板状密封容器の前記蛍光体膜と対抗する内面に形成された平面状第２電極と、
前記蛍光体膜よりも前記平面状第２電極側に設けられて第２電極と対向したメッシュ状第１電極と、
前記第１電極と前記第２電極との間に位置して設けられた誘電体膜（但し前記平面状第２電極の上面に形成された誘電体膜を除く）と、
前記密封容器内に封入された放電用ガスと、
を具備することを特徴とする。
【発明の効果】
【０００９】
請求項１の平面型蛍光灯によれば、誘電体膜により２つの放電電極間の電極を隔離し、しかも平面状に対抗させているため各部で一様な放電が得られ、一様な面状発光が得られる。しかも、雑音の発生しにくい正弦波を使用することができ、またアルゴンの分圧も５乃至２０torrと比較的高くすることができ、寿命を著しく長くすることが可能となる。更に誘電体膜の存在により、放電時に流れる電流を制限することができるため、蛍光灯に必要とするいわゆる電源安定化器、つまりコイルとかコンデンサを使用する必要がない。
【００１０】
また、請求項２の平面型蛍光灯によれば、請求項１の平面型蛍光灯の効果に加えて、蛍光体膜を痛めずに発光が行えるため、蛍光体膜、強いては蛍光灯自体の寿命を延ばすことができる。  
【００１１】
また、請求項３の平面型蛍光灯によれば、請求項２と同様の効果に加えて、平面型蛍光灯におけるガラス板と対向する面の材質をガラス以外の材質とすることができる。例えばセラミック板としても良い。
【発明を実施するための最良の形態】
【００１２】
（第１の実施形態）
図１に平面型蛍光灯の第１の実施形態を示し、図３乃至図６と対応する部分に同一符号を付けてある。この実施形態においては、密封容器１５の少なくとも一面、つまり前面はガラス板１１とされ、その内面に透明電極２４が形成される。この透明電極２４は、例えば酸化錫で構成され、前面ガラス板１１の全面に渡って形成されている。また、背面ガラス板１２は必ずしもガラス板ではなく、例えばセラミック板でもよく、気密性が保たれるものであればよい。この背面ガラス板１２の内面に全面に渡って、平面状電極２５が、例えばアルミニウム、ニッケルなど比較的電気伝導度のよい金属で形成される。
【００１３】
この前面ガラス板１１と背面ガラス板１２とがガラススペーサ１３を介してガラスフリットによって互いに融着される。この場合電極２４，２５をそれぞれ介して融着され、しかもこれらガラス板１１，１２の周縁部より内側において、即ちこれらガラス板１１，１２の周辺部全体がガラススペーサ１３より外部に突出されている。そして、この例では透明電極２４上の外部へ出た周辺部に周回補助導線３１がその全周に渡って例えば銀ペーストにより接着される。また、電極２４，２５の外部にでている周辺部においてリード線３２，３３の各一端がそれぞれ銀ペーストにより接着され、これらリード線３２，３３間に電源３４を接続することができるようにされる。蛍光体膜１８はそのガラススペーサ１３で囲まれたその周辺内において透明電極２４の全面に形成されている。またこの実施例では、平面状電極２５の内面にガラススペーサ１３で囲まれた全面に渡って誘電体膜３５が形成されている。この誘電体膜３５としては例えばガラスペーストが使用される。この実施例の放電ガスの分圧は例えば１０torr程度とされる。
【００１４】
この構成によれば電極２４，２５間に電源３４より正弦波電圧を印加しても誘電体膜３５の存在によって誘電体を介して電子のやりとりが行われ、放電が発生して水銀蒸気が励起され紫外線が発生し、蛍光体膜１８が励起され発光する。このように透明電極２４と平面状電極２５との間に誘電体膜３５が存在するため、これら電極２４，２５間が隔絶されるため一様な平面状の放電が行われ、従って、一様な平面状の発光が得られる。
【００１５】
さらに、通常の放電灯では、一旦放電が始まると放電灯自体の電気抵抗が０に近づき、電流が際限なく流れようとするため、それを防止するためにいわゆる電源安定化器、つまりコイルやコンデンサを設けて、流れる電流を制限している。しかし、この構成によれば、誘電体膜３５がコンデンサの役割を果して流れる電流を制限しているため、別に電源安定器を設ける必要がない。
【００１６】
（第２の実施形態）
図２に平面型蛍光灯の第２の実施形態を示し、図１と対応する部分には同一符号を付けてある。この実施形態においては図１における透明電極２４は省略され、従って蛍光体膜１８が前面ガラス板１１の内面に直接形成されている。また、この蛍光体膜１８と誘電体膜３５との間にメッシュ状電極３７が配される。つまりメッシュ状電極３７は誘電体膜３５を介して平面状電極２５と対抗している。メッシュ状電極３７の材質としてはステンレスあるいはスパッタが発生しにくい鉄とニッケルの合金やチタンなどを使用することができる。
【００１７】
第１の実施形態のような平面型蛍光灯においては、透明電極２４の上から蛍光体膜１８が形成されている場合、放電が蛍光体膜１８を挟んで行われることになり、それによって蛍光体膜１８が早く劣化してしまう。また、放電が蛍光体膜１８を挟んで行われないように、電極２４を蛍光体膜１８と誘電体膜３５の間に設ける場合は、放電の際に励起された紫外線が電極２４によって遮られ、蛍光体膜１８まで届かずうまく発光されない。
【００１８】
そこで、蛍光体膜１８と誘電体膜３５の間に設けられる電極３７をメッシュ状とすることで励起される紫外線をうまく通過させ、蛍光体膜１８を傷めることなく一様な発光を得られるようにしたのが第２の実施形態の平面型放電灯である。なお、ここで言っている「メッシュ状」とは網目状のことだけではなく、例えばいくつもの透孔や隙間があいている形状も含まれる。つまり、紫外線が通過できるようになっていればよい。
【００１９】
メッシュ状電極３７とリード線３３を介して電源３４と接続すると、メッシュ状電極３７と平面状電極２５との間に電圧が印加されて、これら間に放電が発生し、これにより励起された紫外線はメッシュ状電極３７の隙間を通過して、蛍光体膜１８に入射され、これを発光する。この場合もリード線３３の取り付けを容易にするため平面状電極２５が形成された背面ガラス板１２はガラススペーサ１３よりも外部に突出している。また、誘電体膜３５の存在により、電極２５，３７間が隔離されているため、これら各対向部分の各部において一様に放電し、一様な面状発光が得られる。なお、図１の第１の実施形態もこの図２の第２の実施形態においても、誘電体膜３５は電極２４と２５の間、また電極３７と２５の間にあればよく、必ずしも平面状電極２５上に形成しなくてもよい。
【００２０】
（別例）
また、図１に示した第１の実施形態のように透明電極を使用する場合において、その周辺に周回補助導線３１を設ける場合は、透明電極２４は比較的抵抗値が高いが、これにより導電性が良くなり、放電面全体に渡って電流がバランスよく流れるようにすることができる。
【図面の簡単な説明】
【００２１】
【図１】Ａは第１の実施形態の平面型蛍光灯の一部を破断した斜視図、ＢはＡのＡ−Ａ線断面図である。
【図２】第２の実施形態の平面型蛍光灯を示す断面図。
【図３】従来の平面型蛍光灯を示す図４のＡ−Ａ線断面図。
【図４】図３のＢ−Ｂ線断面図。
【図５】従来の平面型蛍光灯とその問題点を示す図。
【図６】従来の他の平面型蛍光灯とその問題点を示す図。